【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】  多階調画像データに網点処理が施されてなる印刷用網点画像データに基づく画像を印刷する印刷システムで得られる該画像をシミュレートしたプルーフ画像を表すプルーフ用網点画像データを生成する画像データ生成装置において、
複数種類の網点パターンそれぞれを表す各網点パターンデータを記憶する網点パターンデータ記憶部と、
前記多階調画像データを取得する画像データ取得部と、
前記網点パターンデータ記憶部に記憶された複数種類の網点パターンデータによって表される複数種類の網点パターンのうちから操作に応じて１つの網点パターンを選択する網点パターン選択部と、
前記画像データ取得部によって取得された多階調画像データに、前記網点パターン選択部によって選択された網点パターンを表す網点パターンデータに基づく網点処理を施すことによりプルーフ用網点画像データを生成する網点画像データ生成部と、
前記網点画像データ生成部で生成されたプルーフ用網点画像データを出力する画像データ出力部とを備えたことを特徴とする画像データ生成装置。
【請求項２】  前記網点パターンデータ記憶部は、実質網線数、実質網角度、網点形状、および出力解像度のうちの少なくとも１つ以上が互いに異なる複数種類の網点パターンの網点パターンデータを記憶するものであり、さらに、前記網点パターン選択部は、該網点パターン記憶部に記憶された複数種類の網点パターンデータによって表される複数種類の網点パターンのうちから操作に応じて１つの網点パターンを選択するものであることを特徴とする請求項１記載の画像データ生成装置。
【請求項３】  前記網点パターン記憶部に記憶される複数の網点パターンデータのうち少なくとも１つ以上は、実際の印刷物作成に用いられる網点パターンデータと同一であることを特徴とする請求項１または請求項２記載の画像データ生成装置。
【請求項４】  前記網点パターン記憶部に記憶される複数の網点パターンデータの少なくとも１つ以上は、実際の印刷物作成に用いられる網点パターンデータと、実質網線数および実質網角度が同一であることを特徴とする請求項１または請求項２記載の画像データ生成装置。
【請求項５】  前記網点パターン選択部によって選択された網点パターンを表す網点パターンデータに、回転、左右反転、および上下反転のうちの少なくとも１つ以上の操作を施してなる網点パターンデータを取得する操作網点パターンデータ取得部を備え、
前記網点画像生成部が、前記画像データ取得部によって取得された多階調画像データに、前記操作網点パターンデータ取得部により取得されてなる網点パターンデータに基づいて、網点処理を施すことによりプルーフ用網点画像データを生成するものであることを特徴とする請求項１記載の画像データ生成装置。
【請求項６】  前記網点パターン選択部が、オペレータの操作に応じて、該網点パターン選択部によって選択された網点パターンを表す網点パターンデータにさらに施す、回転、左右反転、および上下反転のうちの少なくとも１つ以上の操作を選択するものであって、
前記操作網点パターンデータ取得部が、前記網点パターン選択部によって選択された操作が施されてなる網点パターンデータを取得するものであることを特徴とする請求項５記載の画像データ生成装置。
【請求項７】  前記網点画像データ生成部が、前記画像データ取得部によって取得された多階調画像データのサイズに応じて、前記網点パターン選択部によって選択された網点パターンを表す網点パターンデータに対して、所定の回転操作を行うか否かの決定を行う操作決定部を備えるものであって、
前記操作網点パターンデータ取得部が、前記操作決定部によって行われた決定に従って、前記所定の回転操作が施されてなる網点パターンデータを取得するものであることを特徴とする請求項５記載の画像データ生成装置。
【請求項８】  網点パターンの属性の内容を操作に応じて設定する第１の設定部と、
前記第１の設定部によって属性の内容が設定された網点パターンを表す網点パターンデータを取得する設定網点パターンデータ取得部とを備え、
前記網点パターンデータ記憶部が、前記設定網点パターンデータ取得部によって取得された網点パターンデータを記憶するものであることを特徴とする請求項１記載の画像データ生成装置。
【請求項９】  網点パターンの属性の内容のリストを表示する表示部と、
前記表示部に表示された、前記属性の内容のリストから、操作に応じて属性の内容を選択する内容選択部とを備え、
前記第１の設定部が、前記内容選択部によって選択された、前記属性の内容を設定するものであることを特徴とする請求項１記載の画像データ生成装置。
【請求項１０】  前記網点パターンデータ記憶部が、前記印刷用網点画像データに基づく画像を出力する出力機を含む複数種類の出力機の機種と、それらの複数種類の出力機の機種それぞれで用いられるそれぞれの網点パターンを表す網点パターンデータとを、対応付けした状態で記憶するものであり、前記網点パターン選択部が、該網点パターン記憶部に記憶された複数種類の出力機の機種のうちから操作に応じて１つの機種を選択することにより、選択された機種で用いられる網点パターンを選択するものであることを特徴とする請求項１記載の画像データ生成装置。
【請求項１１】  出力機の機種と該機種の出力機で用いられる網点パターンを表す網点パターンとを操作に応じて設定する第２の設定部を備え、
前記網点パターンデータ記憶部が、前記第２の設定部によって設定された機種と該第２の設定部によって設定された網点パターンを表す網点パターンデータとを、対応付けした状態で記憶するものであることを特徴とする請求項１０記載の画像データ生成装置。
【請求項１２】  前記多階調画像データ取得部によって取得された多階調画像データに階調変換処理を施す階調変換部を有し、
前記網点画像データ生成部が、前記階調変換部によって階調変換処理が施されてなる多階調画像データに前記網点処理を施すことによりプルーフ用網点画像データを生成するものであることを特徴とする請求項１記載の画像データ生成装置。
【請求項１３】  前記多階調画像データ取得部によって取得された多階調画像データに色変換処理を施す色変換部を有し、
前記網点画像データ生成部が、前記色変換部によって色変換処理が施されてなる多階調画像データに前記網点処理を施すことによりプルーフ用網点画像データを生成するものであることを特徴とする請求項１記載の画像データ生成装置。
【請求項１４】  コンピュータシステムで実行されることにより、多階調画像データに網点処理が施されてなる印刷用網点画像データに基づく画像を印刷する印刷システムで得られる該画像をシミュレートしたプルーフ画像を表すプルーフ用網点画像データを生成する画像データ生成装置として、前記コンピュータシステムを動作させる画像データ生成プログラムを記憶する画像データ生成プログラム記憶媒体において、
前記多階調画像データを取得する画像データ取得部と、
複数種類の網点パターンそれぞれによって表される各網点パターンデータのうちから操作に応じて１つの網点パターンを選択する網点パターン選択部と、
前記画像データ取得部によって取得された多階調画像データに、前記網点パターン選択部によって選択された網点パターンを表す網点パターンデータに基づく網点処理を施すことによりプルーフ用網点画像データを生成する網点画像データ生成部と、
前記網点画像データ生成部で生成されたプルーフ用網点画像データを出力する画像データ出力部とを備えた画像データ生成装置として、前記コンピュータシステムを動作させる画像データ生成プログラムが記憶されてなることを特徴とする画像データ生成プログラム記憶媒体。